(57)【特許請求の範囲】
【請求項１】
第１の筐体と、
前記第１の筐体に対して開閉可能な第２の筐体と、
電話番号、相手情報、グループ情報とを対応付けて記憶するとともに、このグループ情報に対して設定される前記第２の筐体が閉じた状態から開いた状態に変化した場合に自動応答を許可するか否かを示す設定情報を記憶する記憶手段と、
着信を検出する着信検出手段と、
前記着信検出手段によって着信が検出されると、着信信号から電話番号を取得する電話番号取得手段と、
前記着信検出手段によって着信が検出されると報知動作を行う報知手段と、
前記第２の筐体の開閉を検出する開閉検出手段と、
前記報知手段が報知動作を行っているときに前記開閉検出手段が前記第２の筐体が閉じた状態から開いた状態に変化したことを検出した際に、前記電話番号取得手段によって取得された電話番号に対応するグループ情報に対して設定された設定情報が自動応答の許可を示す場合は着信に応答し、該設定情報が自動応答の許可を示さない場合は着信に応答しないよう制御する制御手段とを具備したことを特徴とする移動無線端末装置。
【請求項２】
第１の筐体と、
前記第１の筐体に対して開閉可能な第２の筐体と、
電話番号、相手情報、グループ情報とを対応付けて記憶するとともに、このグループ情報に対して設定される前記第２の筐体が閉じた状態から開いた状態に変化した場合に自動応答を許可するか否かを示す設定情報を記憶する記憶手段と、
着信を検出する着信検出手段と、
前記着信検出手段によって着信が検出されると報知動作を行う報知手段と、
前記第２の筐体の開閉を検出する開閉検出手段と、
前記報知手段が報知動作を行っているときに前記開閉検出手段が前記第２の筐体が閉じた状態から開いた状態に変化したことを検出した際に、前記電話番号取得手段によって取得された電話番号に対応するグループ情報に対して設定された設定情報が自動応答の許可を示す場合は通話状態に移行させ、該設定情報が自動応答の許可を示さない場合は通話状態に移行させないよう制御する制御手段とを具備したことを特徴とする移動無線端末装置。
【請求項３】
前記制御手段は、前記第２の筐体が閉じた状態から開いた状態に変化した際に着信に応答させない場合は、前記報知手段による報知動作を継続させることを特徴とする請求項１に記載の移動無線端末装置。
【請求項４】
前記制御手段は、前記第２の筐体が閉じた状態から開いた状態に変化した際に通話状態に移行させない場合は、前記報知手段による報知動作を継続させることを特徴とする請求項２に記載の移動無線端末装置。
【請求項５】
前記制御手段は、前記第２の筐体が閉じた状態から開いた状態に変化した際に着信に応答させない場合は、キー入力部の操作に基づいて着信に応答するよう制御することを特徴とする請求項１に記載の移動無線端末装置。
【請求項６】
前記制御手段は、前記第２の筐体が閉じた状態から開いた状態に変化した際に通話状態に移行させない場合は、キー入力部の操作に基づいて通話状態に移行するよう制御することを特徴とする請求項２に記載の移動無線端末装置。
【発明の詳細な説明】
【０００１】
【発明の属する技術分野】
この発明は、例えばＰＨＳ（Personal Handyphone System）や携帯電話システムなどの移動通信システムで用いられ、特に２つに折り畳める折り畳み式や、蓋を備えて開閉する機構を備えた移動無線端末装置に関する。
【０００２】
【従来の技術】
周知のように、ＰＨＳや携帯電話システムなどの移動通信システムで用いられる移動無線端末装置は、２つに折り畳める折り畳み式や、蓋を備えて開閉する機構を備えたものがあり、折り畳みや蓋の開閉によって、表示部の保護や操作部への接触による誤操作を防止することを可能としている。
【０００３】
しかしながら、上述した移動無線端末装置では、折り畳み（蓋を閉めている）時に着信が発生した場合、開いた状態に変形させた後、キー入力部を操作して着信に応答する必要があり、操作性が低いという問題があった。
【０００４】
【発明が解決しようとする課題】
従来の電子機器では、折り畳み（蓋を閉めている）時に着信が発生した場合、開いた状態に変形させた後、キー入力部を操作して着信に応答する必要があり、操作性が低いという問題があった。
【０００５】
この発明は上記の問題を解決すべくなされたもので、折り畳み（蓋を閉めている）時に着信が発生した場合でも、容易に着信に応答することができ、利便性の高い移動無線端末装置を提供することを目的とする。
【０００６】
【課題を解決するための手段】
上記の目的を達成するために、この発明は、第１の筐体と、第１の筐体に対して開閉可能な第２の筐体と、電話番号、相手情報、グループ情報とを対応付けて記憶するとともに、このグループ情報に対して設定される第２の筐体が閉じた状態から開いた状態に変化した場合に自動応答を許可するか否かを示す設定情報を記憶する記憶手段と、着信を検出する着信検出手段と、着信検出手段によって着信が検出されると、着信信号から電話番号を取得する電話番号取得手段と、着信検出手段によって着信が検出されると報知動作を行う報知手段と、第２の筐体の開閉を検出する開閉検出手段と、報知手段が報知動作を行っているときに開閉検出手段が第２の筐体が閉じた状態から開いた状態に変化したことを検出した際に、電話番号取得手段によって取得された電話番号に対応するグループ情報に対して設定された設定情報が自動応答の許可を示す場合は着信に応答し、該設定情報が自動応答の許可を示さない場合は着信に応答しないよう制御する制御手段とを具備して構成するようにした。
【０００７】
上記構成の移動無線端末装置では、着信が発生すると、折り畳んで閉じた状態から開いた状態に可変すると上記着信に応答して通話を開始できるようにしている。
【０００８】
したがって、上記構成の移動無線端末装置によれば、折り畳み（蓋を閉めている）時に着信が発生した場合でも、容易に着信に応答することができ、利便性の高めることができる。
【０００９】
【発明の実施の形態】
以下、図面を参照して、この発明の一実施形態について説明する。
図１は、その構成を示すもので、この図に示す移動無線端末装置は、基地局ＢＳとの間で、ＣＤＭＡ（Code Division Multiple Access）方式によって無線通信を行うものを例に挙げている。
【００１０】
基地局ＢＳから送信され、アンテナ１０１で受信された無線周波信号は、アンテナ共用器１０２に入力される。アンテナ共用器１０２は、受信用フィルタ１０２ａと送信用フィルタ１０２ｂとからなる。
【００１１】
アンテナ１０１より入力された無線周波信号のうち、基地局ＢＳから送信された無線周波信号は、受信用フィルタ１０２ａを通過して、受信部（ＲＸ）１０３に出力される。なお、この無線周波信号は送信用フィルタ１０２ｂにより、後述の送信部１０５に入力されることはない。
【００１２】
受信部１０３では、上記無線周波信号を周波数シンセサイザ（ＳＹＮ）１０４から入力された受信局部発振信号とミキシングして中間周波信号に周波数変換する。
【００１３】
なお、上記周波数シンセサイザ１０４にて発生される受信局部発振信号の周波数は、制御部２００からの制御信号によって制御される。また、受信部１０３は、制御部２００から指定される周波数の無線信号の受信電界強度を検出する機能を備える。
【００１４】
受信部１０３にて得られた中間周波信号は、ＣＤＭＡ信号処理部１０６において、直交復調処理が施されたのち、逆拡散処理が施されて、データレートに応じた所定のフォーマットの受信データに変換され、この受信データのうち、データレートを示すデータおよび電子メールのデータについては制御部２００に出力され、音声データについては音声符号処理部１０７に出力される。
【００１５】
またＣＤＭＡ信号処理部１０６は、上記受信データから、当該移動無線端末装置宛ての着信の発生、および着信時に基地局ＢＳから通知される発信元の電話番号を検出し、これらの検出結果を制御部２００に通知する。
【００１６】
音声符号処理部１０７は、上記ＣＤＭＡ信号処理部１０６にて得られた受信データに対して、制御部２００から通知される受信データレートに応じた伸長処理を施し、この処理結果をＰＣＭ符号処理部１０８に出力する。
【００１７】
ＰＣＭ符号処理部１０８は、音声符号処理部１０７にて伸張された受信データを復号してアナログ受話信号を得る。このアナログ受話信号は、増幅器１０９にて増幅された後スピーカ１１０より拡声出力される。
【００１８】
一方、話者の入力音声は、マイクロホン（Ｍ）１１１を通じてアナログ送話信号として入力され、増幅器１１２で適正レベルまで増幅された後、ＰＣＭ符号処理部１０８にてＰＣＭ符号化処理が施され、送信データとして音声符号処理部１０７に出力される。
【００１９】
音声符号処理部１０７は、ＰＣＭ符号処理部１０８から出力される送信データより入力音声のエネルギー量を検出し、この検出結果に基づいてデータレートを決定し、制御部２００に通知する。そして、上記送信データを上記データレートに応じたフォーマットのバースト信号に圧縮し、ＣＤＭＡ信号処理部１０６に出力する。
【００２０】
ＣＤＭＡ信号処理部１０６は、上記音声符号処理部１０７にて圧縮されたバースト信号、あるいは制御部２００より入力される送信電子メールデータに対して、送信チャネルに応じたＰＮ符号を用いて拡散処理を施す。そしてこの処理結果に対して、直交変調処理を施し、直交変調信号として送信部（ＴＸ）１０５に出力する。
【００２１】
なお、制御部２００から、例えば着信に対して応答するなどの指示があった場合には、ＣＤＭＡ信号処理部１０６は、対応する制御データを上記拡散処理結果に付加して直交変調処理を実施する。
【００２２】
送信部１０５は、上記直交変調信号を送信局部発振信号と合成して無線周波信号に変換し、制御部２００により通知される送信データレートに基づいて、上記無線周波信号の有効部分だけを高周波増幅して、アンテナ共用器１０２に出力する。なお上記送信局部発振信号は、周波数シンセサイザ１０４にて生成されるもので、制御部２００からの制御信号に応じた周波数の発振信号である。
【００２３】
アンテナ共用器１０２に入力された送信部１０５からの無線周波信号は、送信用フィルタ１０２ｂにより、送信帯域の無線周波信号のみがアンテナ１０１に出力されて、上記基地局ＢＳに向けて空間に放射される。尚、この送信帯域の無線周波信号は、受信用フィルタ１０２ａにより、受信部１０３に入力されることはない。
【００２４】
着信報知部１２０は、当該端末装置宛てに着信があった場合に、制御部２００の制御によりユーザに対して着信を報知するもので、可聴音を発して報知を行なう発音体１２１と、発光により報知を行なう発光体１２２と、例えば偏心モータなどにより振動を発生して報知を行なう振動体１２３とからなる。
【００２５】
折り畳み検出部１３０は、当該移動無線端末装置が折り畳んだ状態（図２参照）にあるか開いた状態にあるか（図３参照）を検出するものであり、検出結果を制御部２００に通知する。
【００２６】
記憶部１４０は、例えばＲＯＭやＲＡＭなどの半導体メモリを記憶媒体としたもので、この記憶媒体には、例えば図４に示すように、名前と電話番号、電子メールアドレスなどを対応づけた電話帳データをはじめとするユーザが作成したデータや、動画像とこれに対応する音声を対応づけた動画データ、受信電子メール、送信電子メールなどを記憶し、これらは制御部２００によって読み書きされる。
【００２７】
画像処理部１５０は、制御部２００からの指示に応じて、記憶部１４０に記憶される動画データを読み出して、これに所定の画像処理を施して画像データと音声データを得て、画像データをドライバ１６０に出力するとともに、音声データをＰＣＭ符号処理部１０８に出力する。
【００２８】
ドライバ１６０は、画像処理部１５０より入力される画像データに基づいて、後述するユーザインターフェイス部１７０の表示部１７１を駆動制御して、静止画像および動画像の表示制御を行う。
【００２９】
画像処理部１５０からＰＣＭ符号処理部１０８に出力された音声データは、ＰＣＭ符号処理部１０８にてアナログ音声信号に変換された後、増幅器１１３で増幅され、スピーカ１１４より拡声出力される。
なお、増幅器１１３の増幅のレベルは、制御部２００によって制御される。
【００３０】
ユーザインターフェイス部１７０は、表示部１７１、副表示部１７２およびキー入力部１７３とからなる。表示部１７１は、例えばＬＣＤ（Liquid Crystal Display）やＥＬ（Electro Luminescence）などからなりユーザに対して自機の状態（発信／着信、バッテリ残量、受信強度）や記憶部１４０から読み出したダイヤルデータ、および動画像を含む種々の画像を視覚的に示すためのものである。
【００３１】
副表示部１７２は、小型のＬＣＤを用いたもので、当該移動無線端末装置の背面などに設けられ、この装置が折り畳まれた状態にあるときに、自機の状態や着信の発生を報知するためのものである。
【００３２】
キー入力部１７３は、ダイヤル番号入力を行なうためのテンキーなど発着信に関わる通常の通話機能を実施するためのキーの他、着信報知方法（可聴音／発光／バイブレータ／報知なし）の切り換えなどの各種設定や種々の機能を利用するためのキーを備えたものである。
【００３３】
制御部２００は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００３４】
その主たる制御としては、受信部１０３、周波数シンセサイザ１０４、送信部１０５およびＣＤＭＡ信号処理部１０６を制御して、基地局ＢＳとの間にＣＤＭＡ方式の無線通信による通信リンクを開設し、基地局ＢＳが収容される移動通信網を通じて音声通信や、電子メールの送受信などデータ通信を行なう通信制御機能を備える。
【００３５】
また、制御部２００は、キー入力部１７３を通じて、ユーザから動画の再生要求があった場合には、画像処理部１５０を制御して、動画の再生を行わせる制御機能を備える。
【００３６】
そして、制御部２００は、新たな制御機能として、折り畳み検出部１３０の検出結果、および着信時に基地局ＢＳから通知される発信元の電話番号、記憶部１４０に記憶される電話帳データに基づいて、ユーザからの着信に対する応答要求を受け付ける制御機能を備える。
１８１は電源回路であり、バッテリ１８０の出力を基に所定の動作電源電圧Ｖccを生成して各回路に供給する。
【００３７】
次に、上記構成の移動無線端末装置の動作について説明する。
なお、以下の説明では、着信時の応答制御に関わる動作について説明し、通常の音声通信やデータ通信（電子メールの送受信）に関わる動作についての説明は省略する。
【００３８】
図５は、電話帳データの作成処理を説明するためのフローチャートである。この処理は、制御部２００によってなされる。
まず、ステップ５ａでは、画像処理部１５０を制御して表示部１３１に電話帳データの入力受付画面を表示し、キー入力部１３２を通じて、名前、電話番号、電子メールアドレスの入力を受け付け、ステップ５ｂに移行する。
ステップ５ｂでは、キー入力部１３２を通じて、ステップ５ａで入力を受け付けた名前に対して、自動応答機能を設定するか否かを受け付ける。
【００３９】
ステップ５ｃでは、画像処理部１５０を制御して、ステップ５ａおよびステップ５ｂにてユーザから受け付けた内容を表示部１３１に表示して、この内容を登録してよいか確認させ、ステップ５ｄに移行する。
【００４０】
ステップ５ｄでは、キー入力部１３２を通じて、ステップ５ｃにて表示している内容を電話帳データに登録してよいか否かを受け付ける。ここで、表示中の内容を登録しても良い旨の指示を受け付けた場合には、ステップ５ｅに移行し、一方、良くない旨の指示を受け付けた場合には、ステップ５ａに移行する。
【００４１】
ステップ５ｅでは、ステップ５ａおよびステップ５ｂにてユーザから受け付けた内容を電話帳データとして記憶部１４０に記録し、当該処理を終了する。
なお、自動応答機能を設定する指示があった場合には、「１」を対応づけて記録し、一方、自動応答機能を設定する指示がない場合には、「０」を対応づけて記録する。
【００４２】
次に、着信発生時における応答制御に関わる動作について説明する。
図６は、着信時における応答制御に関わる処理を説明するためのフローチャートである。この処理は、制御部２００によってなされ、着信が発生すると開始される。
【００４３】
まず、ステップ６ａでは、着信発生により基地局ＢＳから通知される発信元の電話番号に基づいて、記憶部１４０に記憶される電話帳データを検索し、ステップ６ｂに移行する。
【００４４】
ステップ６ｂでは、ステップ６ａの検索の結果に基づき、発信元の電話番号に対応づけて記憶される自動応答機能のデータに「１」が設定されているか否かを判定する。
【００４５】
ここで、自動応答機能のデータに「１」が設定されている場合には、ステップ６ｉに移行し、一方、自動応答機能のデータに「０」が設定されていたり、あるいは発信元の電話番号が電話帳データに登録されていない場合には、ステップ６ｃに移行する。
【００４６】
ステップ６ｃでは、発音体１２１、発光体１２２あるいは振動体１２３のうち、少なくとも１つを動作制御して、着信発生の報知を開始する。また、記憶部１４０を参照して、発信元の電話番号に対応する電話帳データを検出し、この検出した電話帳データに登録される名前を表示部１７１に表示し、ステップ６ｄに移行する。
【００４７】
ステップ６ｄでは、キー入力部１３２を通じて、着信に応答する旨の入力が行われたか否かを判定する。ここで、着信に応答する旨の入力が行われた場合にはステップ６ｆに移行し、一方、着信に応答する旨の入力が行われない場合にはステップ６ｅに移行する。
【００４８】
ステップ６ｅでは、着信が終了したか否かを判定する。
ここで、着信が終了した場合にはステップ６ｆに移行し、一方、着信が終了していない場合にはステップ６ｄに移行する。
ステップ６ｆでは、ステップ６ｃで開始した着信報知を終了し、当該処理を終了する。
【００４９】
一方、ステップ６ｇでは、ステップ６ｃで開始した着信報知を終了し、ステップ６ｈに移行する。
ステップ６ｈでは、ＣＤＭＡ信号処理部１０６に応答信号を送信させて、着信に対する応答を行い、基地局ＢＳとの間に通信リンクを開設して、音声通信を開始し、当該処理を終了する。
【００５０】
そしてステップ６ｉでは、折り畳み検出部１３０の検出結果に基づいて、当該移動無線端末装置が開いた状態にあるか否かを判定する。
ここで、当該移動無線端末装置が開いた状態にある場合にはステップ６ｃに移行し、一方、開いた状態にない（折り畳んで閉じた状態にある）場合にはステップ６ｊに移行する。
【００５１】
ステップ６ｊでは、発音体１２１、発光体１２２あるいは振動体１２３のうち、少なくとも１つを動作制御して、着信発生の報知を開始する。また、記憶部１４０を参照して、発信元の電話番号に対応する電話帳データを検出し、この検出した電話帳データに登録される名前を表示部１７１に表示し、ステップ６ｋに移行する。
【００５２】
ステップ６ｋでは、折り畳み検出部１３０の検出結果に基づいて、当該移動無線端末装置が開いた状態に変化したか否かを判定する。
ここで、当該移動無線端末装置が開いた状態に変化した場合にはステップ６ｇに移行し、一方、折り畳んで閉じた状態のままの場合にはステップ６ｌに移行する。
【００５３】
ステップ６ｌでは、着信が終了したか否かを判定する。
ここで、着信が終了した場合にはステップ６ｍに移行し、一方、着信が終了していない場合にはステップ６ｋに移行する。
ステップ６ｍは、ステップ６ｊで開始した着信報知を終了し、当該処理を終了する。
【００５４】
以上のように、上記構成の移動無線端末装置では、折り畳んで閉じた状態にあるときに着信が発生すると、開いた状態に可変すると上記着信に応答して通話を開始できるようにしている。
【００５５】
したがって、上記構成の移動無線端末装置よれば、折り畳み（蓋を閉めている）時に着信が発生した場合でも、開いた状態にするといった容易に着信に応答することができ、利便性の高い。
【００５６】
また、着信時に通知される発信元の電話番号に対応する電話帳データを参照し、折り畳んだ状態から開いた状態に可変することで着信応答を行うか否かを判定するようにしている。
【００５７】
このため、発信元に応じて、折り畳んだ状態から開いた状態に可変することで着信応答を行うかを設定できるので、開く操作により安易に着信に応答してしまうことを防止できる。
【００５８】
尚、この発明は上記実施の形態に限定されるものではない。
上記実施の形態では、発信元の電話番号毎に自動応答を行うか否かを設定するようにしたが、電話帳データをグループ分けし、グループ毎に自動応答を行うか否かを設定するようにしてもよい。
【００５９】
このような制御を制御部２００が実施する場合、記憶部１４０には、図７に示すような電話帳データと、図８に示すようなグループ設定データを記憶させる。そして、ステップ６ａにおいて、上記電話帳データを参照して、発信元の電話番号からグループ番号を識別し、ステップ６ｂにて上記グループ設定データを参照して、ステップ６ａで検出したグループ番号が自動応答設定されているか否かを判定する。
【００６０】
また、ステップ６ｃやステップ６ｊにて開始される報知動作は、上記グループ設定データで設定されるメロディ種別の番号に基づいて着信メロディを再生し、着信の報知を行う。
【００６１】
なお、前述の実施形態において、着信メロディを発信元に応じて変えることも可能である。
この場合、図４に示した電話帳データにおいて、図８に示すように各発信元のデータにメロディ種別を示すデータを設定し、着信時にはこのデータに基づく着信メロディを再生する。
その他、この発明の要旨を逸脱しない範囲で種々の変形を施しても同様に実施可能であることはいうまでもない。
【００６２】
【発明の効果】
以上述べたように、この発明では、着信が発生すると、折り畳んで閉じた状態から開いた状態に可変すると上記着信に応答して通話を開始できるようにしている。
【００６３】
したがって、この発明によれば、折り畳み（蓋を閉めている）時に着信が発生した場合でも、容易に着信に応答することができ、利便性を高めた移動無線端末装置を提供できる。
【図面の簡単な説明】
【図１】この発明に係わる移動無線端末装置の一実施の形態の構成を示す回路ブロック図。
【図２】図１に示した移動無線端末装置の折り畳み状態の外観を示す図。
【図３】図１に示した移動無線端末装置の開いた状態の外観を示す図。
【図４】図１に示した移動無線端末装置の記憶部に記憶される電話帳データの一例を示す図。
【図５】図１に示した移動無線端末装置の電話帳データの設定処理を説明するためのフローチャート。
【図６】図１に示した移動無線端末装置の着信時の処理を説明するためのフローチャート。
【図７】図１に示した移動無線端末装置の記憶部に記憶される電話帳データの一例を示す図。
【図８】図１に示した移動無線端末装置の記憶部に記憶されるグループ設定データの一例を示す図。
【符号の説明】
１０１…アンテナ
１０２…アンテナ共用器
１０２ａ…受信用フィルタ
１０２ｂ…送信用フィルタ
１０３…受信部（ＲＸ）
１０４…周波数シンセサイザ（ＳＹＮ）
１０５…送信部（ＴＸ）
１０６…ＣＤＭＡ信号処理部
１０７…音声符号処理部
１０８…ＰＣＭ符号処理部
１０９，１１２，１１３…増幅器
１１０，１１４…スピーカ
１１１…マイクロホン（Ｍ）
１２０…着信報知部
１２１…発音体
１２２…発光体
１２３…振動体
１３０…折り畳み検出部
１４０…記憶部
１５０…画像処理部
１６０…ドライバ
１７０…ユーザインターフェイス部
１７１…表示部
１７２…副表示部
１７３…キー入力部
１８０…バッテリ
１８１…電源回路
２００…制御部
【図１】
0003790143.tif 000002
【図２】
0003790143.tif 000003
【図３】
0003790143.tif 000004
【図４】
0003790143.tif 000005
【図５】
0003790143.tif 000006
【図６】
0003790143.tif 000007
【図７】
0003790143.tif 000008
【図８】
0003790143.tif 000009